(57)【要約】【課題】  広告を閲覧又は視聴するインセンティブを喚起し、宣伝効果を高める。【解決手段】  広告システム４０は、広告配信サービス加入者の携帯端末を識別する端末識別情報５１と、広告配信サービス加入者の嗜好を示すプロファイル５２とを記憶する記憶装置４３と、発呼端末が広告配信サービス加入者の携帯端末であるか否かを端末識別情報５１に基づいて判定する判定モジュール６１と、発呼端末が広告配信サービス加入者の携帯端末であると判定されたことを条件として、プロファイル５２に適合する広告を発呼端末に配信する配信モジュール６２と、発呼端末に配信された広告の視聴時間に応じて広告配信サービス加入者の通話料をマイナス課金する課金モジュール６３と、を備える。【選択図】図２
2015041214.tif 000002
【特許請求の範囲】
【請求項１】
広告配信サービス加入者の携帯端末を識別する端末識別情報と、前記広告配信サービス加入者の嗜好を示すプロファイルとを記憶する記憶手段と、
発呼端末が広告配信サービス加入者の携帯端末であるか否かを前記端末識別情報に基づいて判定する判定手段と、
前記発呼端末が前記広告配信サービス加入者の携帯端末であると判定されたことを条件として、前記プロファイルに適合する広告を前記発呼端末に配信する配信手段と、
前記発呼端末に配信された前記広告の視聴時間に応じて前記広告配信サービス加入者の通話料をマイナス課金する課金手段と、
を備える広告システム。
【請求項２】
請求項１に記載の広告システムであって、
前記発呼端末の位置情報を取得する位置情報取得手段を更に備え、
前記配信手段は、前記位置情報に関連する広告を前記発呼端末に配信する、広告システム。
【請求項３】
広告配信サービス加入者の携帯端末を識別する端末識別情報と、前記広告配信サービス加入者が予め指定した広告を記憶する記憶手段と、
着呼端末が広告配信サービス加入者の携帯端末であるか否かを前記端末識別情報に基づいて判定する判定手段と、
前記着呼端末が前記広告配信サービス加入者の携帯端末であると判定されたとことを条件として、前記広告配信サービス加入者が予め指定した広告を発呼端末に配信する配信手段と、
前記発呼端末に配信された前記広告の視聴時間に応じて前記広告配信サービス加入者の通話料をマイナス課金する課金手段と、
を備える広告システム。
【請求項４】
請求項１乃至請求項３のうち何れか１項に記載の広告システムであって、
前記配信手段は、音声、動画、又は静止画の広告を呼び出し音に重畳して前記発呼端末に配信する、広告システム。
【請求項５】
請求項１乃至請求項４のうち何れか１項に記載の広告システムであって、
前記配信手段は、広告リソースのロケーションを示すＵＲＬが付加されたメールを前記発呼端末に送信し、
前記広告システムは、前記広告リソースへのアクセスの有無に応じて前記プロファイルが広告配信サービス加入者の嗜好をより忠実に示すように前記プロファイルを更新する更新手段を更に備える、広告システム。
【請求項６】
請求項１乃至請求項５のうち何れか１項に記載の広告システムであって、
前記配信手段は、動画又は静止画の広告をパケット通信網を介して前記発呼端末に配信する、広告システム。
【請求項７】
広告配信サービス加入者の携帯端末を識別する端末識別情報に基づいて、発呼端末が広告配信サービス加入者の携帯端末であるか否かを判定し、
前記発呼端末が前記広告配信サービス加入者の携帯端末であると判定されたことを条件として、前記広告配信サービス加入者の嗜好を示すプロファイルに適合する広告を前記発呼端末に配信し、
前記発呼端末に配信された前記広告の視聴時間に応じて前記広告配信サービス加入者の通話料をマイナス課金する、広告方法。
【請求項８】
広告配信サービス加入者の携帯端末を識別する端末識別情報に基づいて、着呼端末が広告配信サービス加入者の携帯端末であるか否かを判定し、
前記着呼端末が前記広告配信サービス加入者の携帯端末であると判定されたとことを条件として、前記広告配信サービス加入者が予め指定した広告を発呼端末に配信し、
前記発呼端末に配信された前記広告の視聴時間に応じて前記広告配信サービス加入者の通話料をマイナス課金する、広告方法。
【請求項９】
広告システムから配信される広告ファイルを受信及び記憶するステップと、
携帯端末の発着呼動作を契機として、前記記憶された広告ファイルを再生するステップと、
通話料のマイナス課金算出の基礎となる前記広告ファイルの再生時間を前記広告システムに通知するステップと、
を前記携帯端末に実行させる、広告プログラム。
【発明の詳細な説明】
【技術分野】
【０００１】
本発明は、広告を携帯端末に配信するためのシステム、方法、及びプログラムに関する。
【背景技術】
【０００２】
インターネット上のＷｅｂページは、広告媒体として活用され、ポータルサイトを運営する企業等の重要な収益源の一つである。Ｗｅｂページを活用した広告手法として、例えば、マッチング広告やアフィリエイト広告等が知られている。マッチング広告は、ユーザの関心にマッチングする広告を配信するという手法である。アフィリエイト広告は、例えば、企業サイトへのリンクを張ったバナー広告をブログやニュース記事等のＷｅｂページの一部に掲載し、閲覧者がそのリンクを経由して広告主である企業のサイトで商品を購入したり、或いは会員登録等をしたりすると、リンク元の主催者に報酬が支払われるという仕組みを用いた手法である。アフィリエイト広告は、成果結果に応じた報酬が支払われるため、広告主にとっては、広告コストを抑えつつ、効率よく広告の成果を得ることができるという利点を有する。
【発明の概要】
【発明が解決しようとする課題】
【０００３】
しかし、従来のマッチング広告やアフィリエイト広告では、ユーザが広告を実際に閲覧又は視聴しなければ効果を期待できないものであり、広告を閲覧又は視聴するインセンティブを効果的に喚起するための仕組みが十分に検討されていない。
【０００４】
そこで、本発明は、広告を閲覧又は視聴するインセンティブを喚起し、宣伝効果を高めることを課題とする。
【課題を解決するための手段】
【０００５】
上記の課題を解決するため、本発明に係わる広告システムは、広告配信サービス加入者の携帯端末を識別する端末識別情報と、広告配信サービス加入者の嗜好を示すプロファイルとを記憶する記憶手段と、発呼端末が広告配信サービス加入者の携帯端末であるか否かを端末識別情報に基づいて判定する判定手段と、発呼端末が広告配信サービス加入者の携帯端末であると判定されたことを条件として、プロファイルに適合する広告を発呼端末に配信する配信手段と、発呼端末に配信された広告の視聴時間に応じて広告配信サービス加入者の通話料をマイナス課金する課金手段と、を備える。減額された通話料は、例えば、広告主が負担する。広告配信サービス加入者一人あたりの月間粗利益の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【０００６】
本発明の他の観点に基づく広告システムは、広告配信サービス加入者の携帯端末を識別する端末識別情報と、広告配信サービス加入者が予め指定した広告を記憶する記憶手段と、着呼端末が広告配信サービス加入者の携帯端末であるか否かを端末識別情報に基づいて判定する判定手段と、着呼端末が広告配信サービス加入者の携帯端末であると判定されたとことを条件として、広告配信サービス加入者が予め指定した広告を発呼端末に配信する配信手段と、発呼端末に配信された広告の視聴時間に応じて広告配信サービス加入者の通話料をマイナス課金する課金手段と、を備える。広告配信サービス加入者一人あたりの月間粗利益の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【０００７】
本発明の他の観点に基づく広告プログラムは、広告システムから配信される広告ファイルを受信及び記憶するステップと、携帯端末の発着呼動作を契機として、記憶された広告ファイルを再生するステップと、通話料のマイナス課金算出の基礎となる広告ファイルの再生時間を広告システムに通知するステップと、を携帯端末に実行させるものである。広告配信サービス加入者一人あたりの月間粗利益の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【発明の効果】
【０００８】
本発明によれば、広告配信サービス加入者一人あたりの月間粗利益の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【図面の簡単な説明】
【０００９】
【図１】実施例１に係わる広告システムの処理の流れを示す説明図である。
【図２】実施例１に係わる広告システムの構成を示すブロック図である。
【図３】実施例２に係わる広告システムの処理の流れを示す説明図である。
【図４】実施例２に係わる携帯端末の構成を示すブロック図である。
【図５】実施例２に係わる広告システムの処理の流れを示す説明図である。
【発明を実施するための形態】
【００１０】
以下、各図を参照しながら本発明の実施例について説明する。同一の機能ブロックには、同一の符号を付すものとし、重複する説明を省略する。
【実施例１】
【００１１】
図１は実施例１に係わる広告システム４０の処理の流れを示す説明図である。図２は広告システム４０の構成を示すブロック図である。広告システム４０は、広告配信サービスの加入者の携帯端末１０又は３０に広告を配信するためのコンピュータシステムである。広告システム４０は、プロセッサ４１と、通信インタフェース４２と、記憶装置４３とを備えている。プロセッサ４１は、広告配信サービスの処理を記述したプログラム６０を解釈及び実行する。通信インタフェース４２は、携帯電話網やパケット通信網等を介して携帯端末１０，３０に接続するためのインタフェースを提供する。記憶装置４３は、広告配信サービス加入者の携帯端末１０，３０を識別する端末識別情報（例えば、電話番号）５１と、広告配信サービス加入者の嗜好を示すプロファイル５２と、広告主から提供される広告リソース５３と、広告配信サービスの処理を記述したプログラム６０とを記憶している。プログラム６０は、発呼端末又は着呼端末が広告配信サービスの加入者の携帯端末であるか否かを判定するための判定モジュール６１と、広告の配信処理を行う配信モジュール６２と、課金処理を行う課金モジュール６３と、携帯端末１０，３０の位置情報を取得する位置情報取得モジュール６４と、プロファイル５３を更新する更新モジュール６５とを備えている。これらのモジュール６１〜６５は、プログラム６０の中で呼び出されて実行されるサブプログラム（プロシージャ、サブルーチン、メソッド、関数、又はデータ構造等を組み合わせたもの）である。なお、広告システム４０は、複数台のサーバ装置から構成されてもよい。携帯端末１０，３０は、例えば、ＰＤＡ（Personal Data Assistance）機能を有する多機能携帯電話機である。この種の多機能電話機は、スマートフォンと称されている。なお、後述の説明において、携帯端末１０は、発呼端末として動作し、携帯端末３０は、着呼端末として動作する例を示している。
【００１２】
まず、携帯端末１０の所有者が広告配信サービスの加入者であり、且つ、携帯端末３０の所有者が広告配信サービスの未加入者である場合を想定し、携帯端末１０から携帯端末３０へ発信動作をする場合の広告配信処理の流れについて、図１を参照しながら説明する。携帯端末１０が発信動作を行うと（ステップ１０１）、判定モジュール６１は、基地局２０から携帯端末１０の端末識別情報５１を取得し（ステップ１０２）、携帯端末１０が広告配信サービスの加入者の携帯端末であるか否かを判定する。携帯端末１０が広告配信サービス加入者の携帯端末であるときは、配信モジュール６２は、広告配信サービス加入者のプロファイル５２に適合する広告を各種の広告リソース５３の中から選択して携帯端末１０に配信する（ステップ１０３）。広告リソース５３は、例えば、広告用音声ファイル、広告用動画ファイル、広告用静止画ファイル、ＨＴＭＬ（Hyper Text Markup Language）文書で記述された広告用Ｗｅｂページ、或いは広告用ＷｅｂページへのＵＲＬ（Uniform Resource Locator）が付加されたメール等である。広告リソース５３が例えば広告用音声ファイルである場合、配信モジュール６２は、携帯電話網を介して広告用の音声を呼び出し音（リングバックトーン）に重畳して携帯端末１０に配信してもよい。配信モジュール６２は、例えば、ＶｏＬＴＥ（Voice over Long Term Evolution）等のパケット通信網を介して動画又は静止画の広告を呼び出し音に重畳して携帯端末１０に配信してもよい。
【００１３】
位置情報取得モジュール６４は、例えば、基地局２０の位置情報を取得し、基地局２０の位置情報から携帯端末１０の位置情報を推定する。或いは、位置情報取得モジュール６４は、ＷｉＦｉ（登録商標）規格に基づくＩＥＥＥ８０２．１１シリーズ（例えば、８０２．１１ｂ、８０２．１１ｇ等）に準拠した無線ＬＡＮアクセスポイントから取得した電測情報（電波受信強度、ＭＡＣ（Media Access Control）アドレス、又はＥＳＳＩＤ（Extended Service Set Identifier））に基づいて携帯端末１０の位置を割り出してもよい。配信モジュール６２は、携帯端末１０の位置情報に関連する広告（例えば、携帯端末１０の位置に近い場所の店舗の広告）を各種の広告リソース５３の中から選択して携帯端末１０に配信してもよい。これにより、タイムリーな宣伝広告が可能となる。なお、発呼者（広告配信サービス加入者）が広告を視聴するための一定の時間を確保するため、携帯端末１０が発呼してから一定時間経過に携帯端末３０へ着信するように、着呼処理を遅延させるのが望ましい（ステップ３０４）。
【００１４】
課金モジュール６３は、携帯端末１０に配信された広告の視聴時間（例えば、広告リソース５３のストリーミング再生時間）に応じて広告配信サービス加入者の通話料をマイナス課金する。減額された通話料は、例えば、広告主が負担する。このように、広告配信サービス加入者一人あたりの月間粗利益（ＡＲＰＵ）の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【００１５】
配信モジュール６２は、広告配信サービス加入者の通話が終了したとき又はその通話中に、広告リソース５３のロケーションを示すＵＲＬが付加されたメールを携帯端末１０に送信する（ステップ１０５）。携帯端末１０が受信したメールに付加されているＵＲＬが示す広告リソース５３にアクセスすると（ステップ１０６）、更新モジュール６５は、広告配信サービス加入者がその広告リソース５３に関心を示しているものと判断し、プロファイル５２が広告配信サービス加入者の嗜好をより忠実に示すようにプロファイル５２を更新する。一方、広告リソース５３へのアクセスがない場合には、更新モジュール６５は、広告配信サービス加入者がその広告リソース５３に関心を示していないものと判断し、広告配信サービス加入者のプロファイル５２が広告配信サービス加入者の嗜好をより忠実に示すようにプロファイル５２を更新してもよい。このようにして、広告配信サービス加入者の行動傾向の分析を積み重ねることにより、プロファイル５２は、広告配信サービス加入者の嗜好を反映するようになる。このようなプロファイル５２に基づく広告配信は、マッチング広告の一形態であると考えられる。
【００１６】
次に、携帯端末１０の所有者が広告配信サービスの未加入者であり、且つ、携帯端末３０の所有者が広告配信サービスの加入者である場合を想定し、携帯端末１０から携帯端末３０へ発信動作をする場合の広告配信処理の流れについて、図１を参照しながら説明する。この例では、広告リソース５３は、広告配信サービス加入者が予め指定したものである。携帯端末１０が発信動作を行うと（ステップ１０１）、判定モジュール６１は、基地局２０から携帯端末３０の端末識別情報を取得し（ステップ１０２）、携帯端末３０が広告配信サービスの加入者の携帯端末であるか否かを判定する。携帯端末３０が広告配信サービス加入者の携帯端末であるときは、配信モジュール６２は、広告配信サービス加入者が予め指定した広告を携帯端末１０に配信する（ステップ１０３）。その後の処理の流れは、携帯端末１０の所有者が広告配信サービスの加入者であり、且つ、携帯端末３０の所有者が広告配信サービスの未加入者である場合における、上述のステップ１０４〜ステップ１０６と同じである。携帯端末１０に配信される広告は、広告配信サービス加入者が予め指定した広告であるため、このような広告配信は、アフィリエイト広告の一形態であると考えられる。このような広告配信においても、上述のマッチング広告の一形態と同様に、広告配信サービス加入者は、広告の視聴時間に応じて通話料が減額されるため、広告配信のインセンティブを喚起することが可能となる。
【実施例２】
【００１７】
図３は実施例２に係わる広告システム４０の処理の流れを示す説明図である。図４は携帯端末１０の構成を示すブロック図である。携帯端末１０は、通信モジュール１１と、プロセッサ１２と、記憶装置１３と、スピーカー１４と、ディスプレイ１５とを備えている。通信モジュール１１は、携帯電話網やパケット通信網等を介して通信を行うためのインタフェースを提供する。プロセッサ１２は、広告配信サービスの処理を記述した広告プログラム７０を解釈及び実行する。記憶装置１３は、広告配信サービス加入者の嗜好を示すプロファイル５２と、広告システム４０から提供される広告ファイル５４と、広告配信サービスの処理を記述した広告プログラム７０とを記憶している。広告プログラム７０は、広告システム４０から広告ファイル５４を受信及び記憶する受信モジュール７１と、広告ファイル５４の再生を行う再生モジュール７２と、広告ファイル５４の再生時間を広告システム４０に通知する通知モジュール７３とを備えている。これらのモジュール７１〜７３は、広告プログラム７０の中で呼び出されて実行されるサブプログラム（プロシージャ、サブルーチン、メソッド、関数、又はデータ構造等を組み合わせたもの）である。
【００１８】
まず、携帯端末１０の所有者が広告配信サービスの加入者であり、且つ、携帯端末３０の所有者が広告配信サービスの未加入者である場合を想定し、携帯端末１０から携帯端末３０へ発信動作をする場合の広告配信処理の流れについて、図３を参照しながら説明する。広告システム４０は、広告配信サービス加入者の携帯端末１０に広告ファイル５４を送信する（ステップ３０１）。広告ファイル５４は、広告用の音声ファイル又は動画ファイル等である。受信モジュール７１は、広告配信システム４０から送信される広告ファイル７１を受信し、これを記憶装置１３に記憶する。携帯端末１０が発信動作を行うと（ステップ３０２）、再生モジュール７２は、呼び出し音の受信を契機として（ステップ３０３）、広告ファイル５４の再生処理を行う。再生モジュール７２は、複数の広告ファイル５４の中からプロファイル５２に適合する広告ファイル５４を選択して再生してもよく、或いは、携帯端末１０の位置情報に関連する広告ファイル５４を選択して再生してもよい。携帯端末１０の位置情報は、例えば、基地局２０の位置情報から推定される情報でもよく、或いは、携帯端末１０に内蔵されているＧＰＳモジュールが測位した情報でもよい。携帯端末１０の位置情報は、ＷｉＦｉ（登録商標）規格に基づくＩＥＥＥ８０２．１１シリーズ（例えば、８０２．１１ｂ、８０２．１１ｇ等）に準拠した無線ＬＡＮアクセスポイントから取得した電測情報（電波受信強度、ＭＡＣアドレス、又はＥＳＳＩＤ）から割り出される情報でもよい。広告ファイル５４から再生された音声信号は、スピーカ１４から出力され、広告ファイル５４から再生された映像信号（動画又は静止画の信号）は、ディスプレイ１５に出力される。なお、発呼者（広告配信サービス加入者）が広告ファイル５４を視聴するための一定の時間を確保するため、携帯端末１０が発呼してから一定時間経過に携帯端末３０へ着信するように、着呼処理を遅延させるのが望ましい（ステップ３０４）。
【００１９】
通知モジュール７３は、広告ファイル５４の再生時間を広告システム４０に通知する（ステップ３０５）。広告システム４０は、広告ファイル５４の再生時間に応じて広告配信サービス加入者の通話料をマイナス課金する。減額された通話料は、例えば、広告ファイル５４の広告主が負担する。このように、広告配信サービス加入者一人あたりの月間粗利益の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【００２０】
次に、携帯端末１０の所有者が広告配信サービスの未加入者であり、且つ、携帯端末３０の所有者が広告配信サービスの加入者である場合を想定し、携帯端末１０から携帯端末３０へ発信動作をする場合の広告配信処理の流れについて、図５を参照しながら説明する。なお、携帯端末３０の構成は、携帯端末１０の構成と同じであるものとする。広告システム４０は、広告配信サービス加入者の携帯端末３０に広告ファイル５４を送信する（ステップ５０１）。受信モジュール７１は、広告配信システム４０から送信される広告ファイル７１を受信し、これを記憶装置１３に記憶する。携帯端末１０が発信動作を行うと（ステップ５０２）、再生モジュール７２は、着信を契機として広告ファイル５４の再生処理を行う。再生モジュール７２は、複数の広告ファイル５４の中からプロファイル５２に適合する広告ファイル５４を選択して再生してもよく、或いは、携帯端末３０の位置情報に関連する広告ファイル５４を選択して再生してもよい。通知モジュール７３は、広告ファイル５４の再生時間を広告システム４０に通知する（ステップ５０３）。広告システム４０は、広告ファイル５４の再生時間に応じて広告配信サービス加入者の通話料をマイナス課金する。減額された通話料は、例えば、広告ファイル５４の広告主が負担する。このように、広告配信サービス加入者一人あたりの月間粗利益の一部を広告収入に置き換えることにより、広告配信サービス加入者は、広告の視聴時間に応じて通話料が減額されるため、広告を閲覧又は視聴するインセンティブを喚起し、宣伝効果を高めることができる。
【符号の説明】
【００２１】
１０…携帯端末  １１…通信モジュール  １２…プロセッサ  １３…記憶装置  １４…スピーカ  １５…ディスプレイ  ２０…基地局  ３０…携帯端末  ４０…広告システム  ４１…プロセッサ  ４２…通信インタフェース  ４３…記憶装置  ５１…端末識別情報  ５２…プロファイル  ５３…広告リソース  ６０…プログラム  ６１…判定モジュール  ６２…配信モジュール  ６３…課金モジュール  ６４…位置情報取得モジュール  ６５…更新モジュール  ７０…広告プログラム  ７１…受信モジュール  ７２…再生モジュール  ７３…通知モジュール
【図１】
2015041214.tif 000003
【図２】
2015041214.tif 000004
【図３】
2015041214.tif 000005
【図４】
2015041214.tif 000006
【図５】
2015041214.tif 000007